(57)【要約】      （修正有）【課題】首輪を着用した愛玩動物の動作に伴い、一旦首輪の径が小さくなって（首輪が締まって）も、その径が元の大きさに戻り易く、愛玩動物に窮屈な思いをさせ続けないようにする愛玩動物用首輪を提供する。【解決手段】愛玩動物の首に装着する環状の首輪本体部２と、リードと接続されるリード接続部４と、リード接続部４に接続され、前記首輪本体部２の周囲の長さを変える長さ調整部６と、を有し、前記長さ調整部６が、前記リードに引く力が加えられた場合、前記首輪本体部２の周囲の長さを短くし、前記引く力が解除された場合、前記首輪本体部２の周囲の長さを復帰させることを特徴とする。【選択図】図１
2020065447.tif 000002
【特許請求の範囲】
【請求項１】
愛玩動物の首に装着する環状の首輪本体部と、
リードと接続されるリード接続部と、
リード接続部に接続され、前記首輪本体部の周囲の長さを変える長さ調整部と、を有する愛玩動物用首輪であって、
前記長さ調整部が、前記リードに引く力が加えられた場合、前記首輪本体部の周囲の長さを短くし、前記引く力が解除された場合、前記首輪本体部の周囲の長さを復帰させることを特徴とする愛玩動物用首輪。
【請求項２】
前記長さ調整部が、前記リードに引く力が加えられた場合、前記引く力に応じ、前記首輪本体部の周囲の長さを復帰させる方向の力を蓄える弾性体を備えることを特徴とする請求項１に記載の愛玩動物用首輪。
【発明の詳細な説明】
【技術分野】
【０００１】
犬等の愛玩動物に着用させる首輪の技術に関する。
【背景技術】
【０００２】
従来、犬等の愛玩動物に着用させる首輪については多数の提案がなされており、その中でも、首輪を着用する動物の動作に応じ首輪の径が変化するものについて、種々の提案がなされている。例えば、特許文献１では、散歩等において犬が突然に走り出すことを防止し、それに伴う飼い主の事故を防ぐことが出来、犬の首に対しても非常にやさしく適応する首輪が提案されている。また、特許文献２では、ペットの首周りに応じて輪の大きさを変えられる鎖の首輪に適用し、ペットの毛が首輪に挟み込んで引っ張られることがないようするものが提案されている。
【先行技術文献】
【特許文献】
【０００３】
【特許文献１】特開２００２−１１０号公報
【特許文献２】特開平１０−２１５７２２号公報
【発明の概要】
【発明が解決しようとする課題】
【０００４】
しかしながら、上記従来技術は、首輪を着用した愛玩動物の動作に伴い、一旦首輪の径が小さくなってしまう（首輪が締まってしまう）と、その径が元の大きさに戻り難く、愛玩動物に窮屈な思いをさせ続けてしまうという問題点がある。
【０００５】
そこで本発明では、上記問題点に鑑み、首輪を着用した愛玩動物の動作に伴い、一旦首輪の径が小さくなって（首輪が締まって）も、その径が元の大きさに戻り易く、愛玩動物に窮屈な思いをさせ続けないようにする愛玩動物用首輪を提供することを目的とする。
【課題を解決するための手段】
【０００６】
開示する愛玩動物用首輪の一形態は、愛玩動物の首に装着する環状の首輪本体部と、リードと接続されるリード接続部と、リード接続部に接続され、前記首輪本体部の周囲の長さを変える長さ調整部と、を有する愛玩動物用首輪であって、前記長さ調整部が、前記リードに引く力が加えられた場合、前記首輪本体部の周囲の長さを短くし、前記引く力が解除された場合、前記首輪本体部の周囲の長さを復帰させることを特徴とする。
【０００７】
また、開示する愛玩動物用首輪の一形態は、上記構成に加え、前記長さ調整部が、前記リードに引く力が加えられた場合、前記引く力に応じ、前記首輪本体部の周囲の長さを復帰させる方向の力を蓄える弾性体を備えることを特徴とする。
【発明の効果】
【０００８】
開示する愛玩動物用首輪は、首輪を着用した愛玩動物の動作に伴い、一旦首輪の径が小さくなって（首輪が締まって）も、その径が元の大きさに戻り易く、愛玩動物に窮屈な思いをさせ続けないようにする。
【図面の簡単な説明】
【０００９】
【図１】本実施の形態に係る愛玩動物用首輪の一形態（その１）を示す模式図である。
【図２】本実施の形態に係る愛玩動物用首輪の一形態（その２）を示す模式図である。
【図３】本実施の形態に係る愛玩動物用首輪の一形態（その３）を示す模式図である。
【発明を実施するための形態】
【００１０】
図面を参照しながら、本発明を実施するための形態について説明する。
（本実施の形態に係る愛玩動物用首輪の構造）
【００１１】
図１乃至３を用いて、本実施の形態に係る愛玩動物用首輪（以下、単に「首輪」という。）１の構造について説明する。図１乃至３は、首輪１を実現する種々の形態を模式的に示す図である。図１乃至３で示すように、首輪１は、首輪本体部２、リード接続部４、長さ調整部６を有する。
【００１２】
図１乃至３で示すように、首輪本体部２は、愛玩動物１０の首１２に装着する部位であり、環状の形状を成す。首輪本体部２は、後述する長さ調整部６の機能に基づいて、その周囲の長さ（輪の径）が変化する。つまり、首輪本体部２は、定常状態の長さに比べ短くなったり、定常状態の長さに復帰したりする。
【００１３】
図１乃至３で示すように、リード接続部４は、飼い主のように愛玩動物１０の動作を制御（先導）する人が持つリード（引き綱）１４と接続される部位である。リード接続部４は、リード１４が引かれる力、又は、その引かれる力が解除されたことを後述の長さ調整部６に伝達する機能を有する。
【００１４】
図１乃至３で示すように、長さ調整部６は、リード接続部４に接続され、リード１４が引かれる力に応じ、首輪本体部２の周囲の長さを変える機能を有する部位である。長さ調整部６は、リード１４に引く力が加えられた場合、首輪本体部２の周囲の長さを短くし、リード１４を引く力が解除された場合、首輪本体部２の周囲の長さを元の長さに復帰させる。
【００１５】
図１で示すように、長さ調整部６は、リード１４を持つ人から愛玩動物１０が離れる方向に動く場合等に生じるリード１４を引く力に応じ、首輪本体部２の構成部位を首輪の輪の外へ引き出す。それと共に、長さ調整部６では、当該引き出される部位に連結される弾性体８が伸び、弾性体８が、首輪本体部２の周囲長を復帰させる方向の力を蓄える。長さ調整部６は、リード１４を引く力が解除されると、弾性体８の弾性力（復元力）に基づき、首輪本体部２の周囲長を復帰させる。弾性体８は、ゴム、バネ等であり、その材質・構造は特に限定されない。
【００１６】
図２で示すように、首輪本体部２は、両端部分で分離され、開口部を有し、開口部両端を紐状の長さ調整部６によって連結される構造となっている。また、首輪本体部２の開口部両端には、棒状の弾性体８が連結されている。長さ調整部６は、リード１４を持つ人から愛玩動物１０が離れる方向に動く場合等に生じるリード１４を引く力に応じ、首輪本体部２の開口部両端を閉じさせ、首輪本体部２の周囲長を短くする。そのとき、弾性体８は、撓って、棒状形状に戻る弾性力（復元力）、つまり、首輪本体部２の開口部両端を開き、元の状態へ復帰させる力を蓄える。長さ調整部６は、リード１４を引く力が解除されると、弾性体８の弾性力（復元力）に基づき、首輪本体部２の周囲長を復帰させる。弾性体８は、上記性質を備える限り、その材質・構造は特に限定されない。
【００１７】
図３で示すように、長さ調整部６は、リード１４を持つ人から愛玩動物１０が離れる方向に動く場合等に生じるリード１４を引く力に応じ、首輪本体部２の構成部位を首輪の輪の外へ引き出す。それと共に、長さ調整部６は、首輪本体部２の周囲を覆う弾性体８が収縮することによって、首輪本体部２の周囲長を復帰させる方向の力を蓄える。弾性体８は、蛇腹構造等が想定されるが、上記性質を備える限り、その材質・構造は特に限定されない。長さ調整部６は、リード１４を引く力が解除されると、弾性体８の弾性力（復元力）に基づき、首輪本体部２の周囲長を復帰させる。
【００１８】
上記のような構造に基づいて、首輪１は、リード１４が引かれる力に応じ（首輪を着用した愛玩動物１０の動作に伴い）、一旦首輪の径が小さくなって（首輪が締まって）も、その径が元の大きさに戻り易く、愛玩動物１０に窮屈な思いをさせ続けないようにする。
（本実施の形態に係る愛玩動物用首輪の使用方法）
【００１９】
図１乃至３を用いて、首輪１の使用方法について説明する。首輪１の使用者（愛玩動物１０を散歩させる人等）は、首輪本体部２を愛玩動物１０の首に装着し、リード接続部４にリード１４を連結させ、愛玩動物１０を自由に行動できる状態にする。
【００２０】
愛玩動物１０が使用者から離れる方向に動く場合、愛玩動物１０の動作に伴い自然にリード１４が引かれ、又は、使用者がリード１４を意図的に引いた場合、首輪本体部２の周囲長が、長さ調整部６の機能に基づいて、短くなる。愛玩動物１０に動作を躾ける場合に役に立つ機能である。
【００２１】
愛玩動物１０が使用者から所定距離内にいる場合、リード１４を引く力は解除され、首輪本体部２の周囲長が、長さ調整部６の機能に基づいて、元の状態（基本の定常状態）に復帰する。基本の定常状態において首輪本体部２の周囲長を緩くしておけば、愛玩動物１０に窮屈な思いをさせることは無い。
【００２２】
上記のような使用方法によって、首輪１は、リード１４が引かれる力に応じ（首輪を着用した愛玩動物１０の動作に伴い）、一旦首輪の径が小さくなって（首輪が締まって）も、その径が元の大きさに戻り易く、愛玩動物１０に窮屈な思いをさせ続けないようにする。
【００２３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２４】
１    愛玩動物用首輪
２    首輪本体部
４    リード接続部
６    長さ調整部
８    弾性体
１０  愛玩動物
１２  愛玩動物の首
１４  リード
【図１】
2020065447.tif 000003
【図２】
2020065447.tif 000004
【図３】
2020065447.tif 000005